(57)【要約】【課題】検出領域よりも電極数を減らして製造コストを削減することができるタッチセンサ装置を提供する。【解決手段】タッチセンサ装置１は、誘電率が高い少なくとも９つの高誘電率部、及び高誘電率部よりも誘電率が低い低誘電率部を有し、高誘電率部及び低誘電率部が表面１００ａに露出する操作板１０と、隣り合う４つの高誘電率部を投影した写像が自身と交わって形成された領域である４つの投影領域１６が同じ面積となるように操作板１０の裏面１００ｂに配置され、高誘電率部に接近又は接触する検出対象と静電結合する少なくとも４つの電極と、電極から出力される出力信号に基づいてタッチ操作を検出し、タッチ操作が検出された電極の組み合わせに基づいて少なくとも９つの高誘電率部からタッチ操作がなされた高誘電率部を判定する制御部２０と、を備えて概略構成されている。【選択図】図１
2017220368.tif 000002
【特許請求の範囲】
【請求項１】
誘電率が高い少なくとも３つの高誘電率部、及び前記高誘電率部の間に設けられ、前記高誘電率部よりも誘電率が低い低誘電率部を有し、前記高誘電率部及び前記低誘電率部が表面に露出する操作板と、
隣り合う前記高誘電率部を投影した写像が自身と交わって形成された領域である２つの投影領域が同じ面積となるように前記操作板の裏面に配置され、前記高誘電率部に接近又は接触する検出対象と静電結合する少なくとも２つの電極と、
前記電極から出力される出力信号に基づいてタッチ操作を検出し、前記タッチ操作が検出された前記電極の組み合わせに基づいて少なくとも３つの前記高誘電率部から前記タッチ操作がなされた前記高誘電率部を判定する判定部と、
を備えたタッチセンサ装置。
【請求項２】
誘電率が高く、行列状に配置された少なくとも９つの高誘電率部、及び前記高誘電率部の間に設けられ、前記高誘電率部よりも誘電率が低い低誘電率部を有し、前記高誘電率部及び前記低誘電率部が表面に露出する操作板と、
隣り合う４つの前記高誘電率部を投影した写像が自身と交わって形成された領域である４つの投影領域が同じ面積となるように前記操作板の裏面に配置され、前記高誘電率部に接近又は接触する検出対象と静電結合する少なくとも４つの電極と、
前記電極から出力される出力信号に基づいてタッチ操作を検出し、前記タッチ操作が検出された前記電極の組み合わせに基づいて少なくとも９つの前記高誘電率部から前記タッチ操作がなされた前記高誘電率部を判定する判定部と、
を備えたタッチセンサ装置。
【請求項３】
前記操作板は、前記高誘電率部が誘電率が高い樹脂部材であり、前記低誘電率部が誘電率が低い樹脂部材であり、前記誘電率が高い樹脂部材と前記誘電率が低い樹脂部材が一体とされて形成された、
請求項１又は２に記載のタッチセンサ装置。
【請求項４】
前記操作板は、意匠が形成された意匠部が前記表面に配置されている、
請求項１乃至３のいずれか１項に記載のタッチセンサ装置。
【発明の詳細な説明】
【技術分野】
【０００１】
本発明は、タッチセンサ装置に関する。
【背景技術】
【０００２】
従来の技術として、操作体により接触操作される操作面を形成する操作プレートと、操作プレートに対して操作面の反対側に配置される電極板と、を備え、操作体と電極板との間で生じる静電容量の変化に応じてオンオフ作動する静電容量式スイッチが知られている（例えば、特許文献１参照。）。
【０００３】
この静電容量式スイッチは、操作プレートが、板状の基板と、基板に比べて誘電率の高い高誘電率材との多色成形により樹脂で一体に形成され、高誘電率材が、電極板の投影範囲に配置されている。
【先行技術文献】
【特許文献】
【０００４】
【特許文献１】特開２０１４−２０３５４０号公報
【発明の概要】
【発明が解決しようとする課題】
【０００５】
しかし従来の静電容量式スイッチは、操作体によるタッチ操作を検出する検出領域が電極板と同数なので、検出領域よりも電極数を減らして製造コストを削減することができない。
【０００６】
従って本発明の目的は、検出領域よりも電極数を減らして製造コストを削減することができるタッチセンサ装置を提供することにある。
【課題を解決するための手段】
【０００７】
本発明の一態様は、誘電率が高く、行列状に配置された少なくとも９つの高誘電率部、及び高誘電率部の間に設けられ、高誘電率部よりも誘電率が低い低誘電率部を有し、高誘電率部及び低誘電率部が表面に露出する操作板と、隣り合う４つの高誘電率部を投影した写像が自身と交わって形成された領域である４つの投影領域が同じ面積となるように操作板の裏面に配置され、高誘電率部に接近又は接触する検出対象と静電結合する少なくとも４つの電極と、電極から出力される出力信号に基づいてタッチ操作を検出し、タッチ操作が検出された電極の組み合わせに基づいて少なくとも９つの高誘電率部からタッチ操作がなされた高誘電率部を判定する判定部と、を備えたタッチセンサ装置を提供する。
【発明の効果】
【０００８】
本発明によれば、検出領域よりも電極数を減らして製造コストを削減することができる。
【図面の簡単な説明】
【０００９】
【図１】図１（ａ）は、第１の実施の形態に係るタッチセンサ装置の一例を示す概略図であり、図１（ｂ）は、タッチセンサ装置の一例を示すブロック図である。
【図２】図２（ａ）は、第１の実施の形態に係るタッチセンサ装置の高誘電率部と電極の配置の一例について説明する概略図であり、図２（ｂ）は、タッチセンサ装置の図２（ａ）のII（ｂ）-II（ｂ）線で切断した断面を矢印方向から見た断面図の一例であり、図２（ｃ）は、判定テーブルの一例を示す概略図である。
【図３】図３は、第１の実施の形態に係るタッチセンサ装置の動作の一例を示すフローチャートである。
【図４】図４（ａ）は、第２の実施の形態に係るタッチセンサ装置の一例を示す概略図であり、図４（ｂ）は、タッチセンサ装置の高誘電率部と電極の配置の一例について説明する概略図であり、図４（ｃ）は、判定テーブルの一例であり、図４（ｄ）は、第３の実施の形態に係るタッチセンサ装置の一例を示す概略図である。
【発明を実施するための形態】
【００１０】
（実施の形態の要約）
実施の形態に係るタッチセンサ装置は、誘電率が高く、行列状に配置された少なくとも９つの高誘電率部、及び高誘電率部の間に設けられ、高誘電率部よりも誘電率が低い低誘電率部を有し、高誘電率部及び低誘電率部が表面に露出する操作板と、隣り合う４つの高誘電率部を投影した写像が自身と交わって形成された領域である４つの投影領域が同じ面積となるように操作板の裏面に配置され、高誘電率部に接近又は接触する検出対象と静電結合する少なくとも４つの電極と、電極から出力される出力信号に基づいてタッチ操作を検出し、タッチ操作が検出された電極の組み合わせに基づいて少なくとも９つの高誘電率部からタッチ操作がなされた高誘電率部を判定する判定部と、を備えて概略構成されている。
【００１１】
このタッチセンサ装置は、高誘電率部の数よりも電極の数が少ないので、電極と検出領域が同一の場合と比べて、製造コストを削減することができる。
【００１２】
[第１の実施の形態]
（タッチセンサ装置１の概要）
図１（ａ）は、第１の実施の形態に係るタッチセンサ装置の一例を示す概略図であり、図１（ｂ）は、タッチセンサ装置の一例を示すブロック図である。図２（ａ）は、第１の実施の形態に係るタッチセンサ装置の高誘電率部と電極の配置の一例について説明する概略図であり、図２（ｂ）は、タッチセンサ装置の図２（ａ）のII（ｂ）-II（ｂ）線で切断した断面を矢印方向から見た断面図の一例であり、図２（ｃ）は、判定テーブルの一例を示す概略図である。なお、以下に記載する実施の形態に係る各図において、図形間の比率は、実際の比率とは異なる場合がある。また図１（ｂ）では、主な信号や情報の流れを矢印で示している。
【００１３】
タッチセンサ装置１は、例えば、図１（ａ）に示すように、検出対象としての操作指によってタッチ領域になされたタッチ操作を検出する自己容量方式のタッチセンサである。タッチセンサ装置１は、操作対象の電子機器と電気的に接続されている。なお検出対象は、操作指に限定されず、操作者の体の一部や導電性ペンなどであっても良い。
【００１４】
本実施の形態のタッチセンサ装置１は、一例として、第１のタッチ領域１０１〜第９のタッチ領域１０９を有している。この第１のタッチ領域１０１〜第９のタッチ領域１０９には、一例として、「１」〜「９」までの数字が印刷されている。タッチセンサ装置１は、例えば、第３のタッチ領域１０３におけるタッチ操作が検出されると、「３」がタッチ操作されたと判定する。
【００１５】
タッチセンサ装置１は、例えば、図１（ａ）〜図２（ｂ）に示すように、操作板１０と、第１の電極１４ａ〜第４の電極１４ｄと、判定部としての制御部２０と、を備えて概略構成されている。
【００１６】
この操作板１０は、誘電率が高く、行列状に配置された少なくとも９つの高誘電率部、及び高誘電率部の間に設けられ、高誘電率部よりも誘電率が低い低誘電率部１２を有し、高誘電率部及び低誘電率部１２が表面１００ａに露出している。
【００１７】
この行列状とは、高誘電率部が等間隔でｍ行ｎ列に並んだ状態を示している。また本実施の形態における高誘電率部は、第１の高誘電率部１１１〜第９の高誘電率部１１９である。
【００１８】
第１の電極１４ａ〜第４の電極１４ｄは、図２（ａ）及び図２（ｂ）に示すように、隣り合う４つの高誘電率部を投影した写像が自身と交わって形成された領域である４つの投影領域１６が同じ面積となるように操作板１０の裏面１００ｂに配置され、高誘電率部に接近又は接触する操作指９と静電結合する。
【００１９】
具体的には、例えば、第１の高誘電率部１１１を法線方向に第１の電極１４ａ上に投影すると、第１の電極１４ａ上に投影された第１の高誘電率部１１１の写像は、図２（ａ）に斜線で示す投影領域１６となる。第１の高誘電率部１１１、第２の高誘電率部１１２、第４の高誘電率部１１４及び第５の高誘電率部１１５を第１の電極１４ａ上に投影すると、４つの投影領域１６が得られ、この４つの投影領域１６が同じ面積となるように第１の電極１４ａは、配置されている。
【００２０】
なお投影領域１６は、高誘電率部に対するタッチ操作によってタッチ判定される出力信号を生成する程度の面積を有していれば良いので、必ずしも同じ面積でなくても良い。従って高誘電率部は、タッチ判定が可能な程度の投影領域１６が生成される程度に間隔が異なっていても良い。また高誘電率部や電極は、矩形状に限定されず、円形などであっても良い。
【００２１】
制御部２０は、第１の電極１４ａ〜第４の電極１４ｄから出力される出力信号Ｓ１〜出力信号Ｓ４に基づいてタッチ操作を検出し、タッチ操作が検出された電極の組み合わせに基づいて第１の高誘電率部１１１〜第９の高誘電率部１１９からタッチ操作がなされた高誘電率部を判定する。
【００２２】
なお本実施の形態の操作板１０には、意匠が形成された意匠部１５が表面１００ａに配置されている。この意匠部１５は、例えば、ＰＥ（ポリエチレン）やＰＶＣ（ポリ塩化ビニル）などの樹脂フィルムである。意匠部１５は、表面が操作面１５０となり、操作面１５０に「１」〜「９」までの数字が印刷されている。
【００２３】
（操作板１０の構成）
操作板１０は、第１の高誘電率部１１１〜第９の高誘電率部１１９が誘電率が高い樹脂部材であり、低誘電率部１２が誘電率が低い樹脂部材であり、誘電率が高い樹脂部材と誘電率が低い樹脂部材が一体とされて形成されたものである。
【００２４】
具体的には、行列状に配置された第１の高誘電率部１１１〜第９の高誘電率部１１９の表面を除いた外側（側面及び裏面）を覆うように低誘電率部１２が形成されている。この第１の高誘電率部１１１〜第９の高誘電率部１１９と低誘電率部１２は、二色成形法によって生成される。
【００２５】
第１の高誘電率部１１１〜第９の高誘電率部１１９は、例えば、導電性を有するプラスチックや合成ゴムによって形成される。第１の高誘電率部１１１〜第９の高誘電率部１１９は、一例として、ＰＰＥ（ポリフェニレンエーテル）及びＰＣ（ポリカーボネート）などの樹脂材料にカーボンブラックなどの導電性部材を含有させて当該樹脂材料よりも高誘電率となるように形成されている。
【００２６】
第１の高誘電率部１１１〜第９の高誘電率部１１９は、上面視において矩形状を有している。この第１の高誘電率部１１１は、第１のタッチ領域１０１を規定している。同様に、第２の高誘電率部１１２〜第９の高誘電率部１１９は、第２のタッチ領域１０２〜第９のタッチ領域１０９を規定している。
【００２７】
第１の高誘電率部１１１〜第３の高誘電率部１１３は、図２（ａ）の紙面の左から右に並んでいる。第４の高誘電率部１１４〜第６の高誘電率部１１６は、図２（ａ）の紙面の第１の高誘電率部１１１〜第３の高誘電率部１１３の下に、左から右に並んでいる。第７の高誘電率部１１７〜第９の高誘電率部１１９は、図２（ａ）の紙面の第４の高誘電率部１１４〜第６の高誘電率部１１６の下に、左から右に並んでいる。
【００２８】
低誘電率部１２は、例えば、ＰＰＥやＰＣなどの絶縁性を有する樹脂材料を用いて形成されている。この高誘電率部の誘電率と低誘電率部１２の誘電率の差は、一例として、１０以上である。
【００２９】
（第１の電極１４ａ〜第４の電極１４ｄの構成）
第１の電極１４ａ〜第４の電極１４ｄは、例えば、銅、金などの金属材料を用いて形成されている。第１の電極１４ａ〜第４の電極１４ｄは、例えば、操作板１０の裏面１００ｂに、蒸着や接着によって配置されている。
【００３０】
第１の電極１４ａ〜第４の電極１４ｄは、高誘電率部に接近又は接触する操作指９と静電結合を行い、増加した静電容量に応じた出力信号Ｓ１〜出力信号Ｓ４を制御部２０に出力するように構成されている。
【００３１】
第１の電極１４ａは、第１の高誘電率部１１１にタッチ操作がなされると、第１の高誘電率部１１１を投影した投影領域１６の面積に比例した出力信号Ｓ１を出力する。同様に、第１の電極１４ａは、第２の高誘電率部１１２、第４の高誘電率部１１４及び第５の高誘電率部１１５にタッチ操作がなされると、投影領域１６の面積に比例した出力信号Ｓ１を出力する。
【００３２】
第２の電極１４ｂは、第２の高誘電率部１１２、第３の高誘電率部１１３、第５の高誘電率部１１５及び第６の高誘電率部１１６にタッチ操作がなされると、投影領域１６の面積に比例した出力信号Ｓ２を出力する。
【００３３】
第３の電極１４ｃは、第４の高誘電率部１１４、第５の高誘電率部１１５、第７の高誘電率部１１７及び第８の高誘電率部１１８にタッチ操作がなされると、投影領域１６の面積に比例した出力信号Ｓ３を出力する。
【００３４】
第４の電極１４ｄは、第５の高誘電率部１１５、第６の高誘電率部１１６、第８の高誘電率部１１８及び第９の高誘電率部１１９にタッチ操作がなされると、投影領域１６の面積に比例した出力信号Ｓ３を出力する。
【００３５】
（制御部２０の構成）
制御部２０は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部２０が動作するためのプログラムと、タッチ判定しきい値２１と、判定テーブル２２と、が格納されている。ＲＡＭは、例えば、一時的に演算結果などを格納する記憶領域として用いられる。
【００３６】
タッチ判定しきい値２１は、タッチ判定を行うためのしきい値である。制御部２０は、例えば、第１の電極１４ａ〜第４の電極１４ｄから取得した出力信号Ｓ１〜出力信号Ｓ４をデジタル値に変換してタッチ判定しきい値２１と比較する。制御部２０は、このデジタル値がタッチ判定しきい値２１以上である場合、タッチ操作がなされたと判定する。
【００３７】
このタッチ判定しきい値２１は、タッチ操作がなされた高誘電率部の投影領域１６が１つの場合に出力される出力信号のデジタル値よりも低く設定されている。従って第１の高誘電率部１１１に対してタッチ操作がなされた場合、第１の電極１４ａは、第１の高誘電率部１１１の投影領域１６に応じた出力信号Ｓ１を出力する。制御部２０は、当該出力信号Ｓ１に基づくデジタル値がタッチ判定しきい値２１以上であるので、タッチ操作がなされたと判定する。
【００３８】
判定テーブル２２は、図２（ｃ）に示すように、タッチ操作有りと判定された電極の組み合わせからタッチ操作がなされた高誘電率部、つまりタッチ領域を判定するためのテーブルである。なお図２（ｃ）に示す「○」は、タッチ操作有りの判定を示し、「×」は、タッチ操作なしの判定を示している。
【００３９】
第５の高誘電率部１１５、つまり第５のタッチ領域１０５にタッチ操作がなされた場合、図２（ａ）に示すように、第５の高誘電率部１１５を投影すると、第１の電極１４ａ〜第４の電極１４ｄに投影領域１６が生じる。つまり第１の電極１４ａ〜第４の電極１４ｄは、投影領域１６に応じた出力信号Ｓ１〜出力信号Ｓ４を出力する。
【００４０】
制御部２０は、この出力信号Ｓ１〜出力信号Ｓ４とタッチ判定しきい値２１に基づいて第１の電極１４ａ〜第１の電極１４ｄがタッチ操作されたと判定する。そして制御部２０は、第１の電極１４ａ〜第４の電極１４ｄがタッチ操作有りとなる組み合わせを判定テーブル２２から抽出し、第５のタッチ領域１０５がタッチ操作されたとする操作情報Ｓ５を生成して接続された電子機器に出力する。
【００４１】
また第８のタッチ領域１０８にタッチ操作がなされた場合、図２（ａ）に示すように、第３の電極１４ｃ及び第４の電極１４ｄがタッチ操作を検出して出力信号Ｓ３及び出力信号Ｓ４を出力すると共に第１の電極１４ａ及び第２の電極１４ｂがタッチ操作なしとする出力信号Ｓ１及び出力信号Ｓ２を出力する。
【００４２】
制御部２０は、第１の電極１４ａ及び第２の電極１４ｂがタッチ操作を検出せず、第３の電極１４ｃ及び第４の電極１４ｄがタッチ操作を検出する組み合わせを判定テーブル２２から抽出し、第８のタッチ領域１０８にタッチ操作がなされたとする操作情報Ｓ５を出力する。
【００４３】
ここでタッチセンサ装置１の高誘電率部は、ｍ行ｎ列に配置されているがさらに多くの高誘電率部を配置してタッチ領域を増やしても良い。タッチセンサ装置１は、例えば、ｍ行ｎ列（３≦ｍ，ｎ：ｎ＝ｍ＋Ａ：０≦Ａ）を満たすように拡張可能である。なおｍ、ｎ、Ａは、整数である。
【００４４】
つまりタッチセンサ装置１は、上述の例では３行３列であったが、例えば、３行４列（ｍ＝３：ｎ＝３＋Ａ：Ａ＝１）や、４行６列（ｍ＝４：ｎ＝４＋Ａ：Ａ＝２）などであって良い。また拡張した場合、電極は、（ｍ−１）×Ａ個増加する。
【００４５】
以下に、本実施の形態のタッチセンサ装置１の動作の一例について図３のフローチャートに従って説明する。
【００４６】
（動作）
タッチセンサ装置１の制御部２０は、出力信号Ｓ１〜出力信号Ｓ４を変換したデジタル値とタッチ判定しきい値２１とを比較してタッチ操作の有無を判定する。制御部２０は、ステップ１の「Ｙｅｓ」が成立する、つまりタッチ操作が検出されると（Ｓｔｅｐ１：Ｙｅｓ）、タッチ操作を検出した電極の組み合わせからタッチ領域を判定する（Ｓｔｅｐ２）。
【００４７】
制御部２０は、判定したタッチ領域に基づいて操作情報Ｓ５を生成して接続された電子機器に出力する（Ｓｔｅｐ３）。
【００４８】
（第１の実施の形態の効果）
本実施の形態に係るタッチセンサ装置１は、タッチ領域よりも電極数を減らして製造コストを削減することができる。具体的には、タッチセンサ装置１は、タッチ領域が９つであるが、このタッチ領域を検出する電極が４つである。従ってタッチセンサ装置１は、タッチ領域よりも少ない電極で各タッチ領域に対するタッチ操作を判定することができるので、製造コストを削減することができる。またタッチセンサ装置１は、電極の数以上のタッチ領域を検出することができるので、電極とタッチ領域とが同数の場合と比べて、小型化が容易である。
【００４９】
［第２の実施の形態］
第２の実施の形態は、一次元的に並ぶタッチ領域に対するタッチ操作を検出する点で第１の実施の形態と異なっている。
【００５０】
図４（ａ）は、第２の実施の形態に係るタッチセンサ装置の一例を示す概略図であり、図４（ｂ）は、タッチセンサ装置の高誘電率部と電極の配置の一例について説明する概略図であり、図４（ｃ）は、判定テーブルの一例である。なお以下に記載する実施の形態において、第１の実施の形態と同じ機能及び構成を有する部分は、第１の実施の形態と同じ符号を付し、その説明は省略するものとする。
【００５１】
本実施の形態のタッチセンサ装置１は、誘電率が高い少なくとも３つの高誘電率部、及び高誘電率部の間に設けられ、高誘電率部よりも誘電率が低い低誘電率部１２を有し、高誘電率部及び低誘電率部１２が表面１００ａに露出する操作板１０を備えている。
【００５２】
またタッチセンサ装置１は、隣り合う高誘電率部を投影した写像が自身と交わって形成された領域である２つの投影領域１６が同じ面積となるように操作板１０の裏面１００ｂに配置され、高誘電率部に接近又は接触する操作指９と静電結合する少なくとも２つの電極を備えている。
【００５３】
そしてタッチセンサ装置１は、電極から出力される出力信号に基づいてタッチ操作を検出し、タッチ操作が検出された電極の組み合わせに基づいて少なくとも３つの高誘電率部からタッチ操作がなされた高誘電率部を判定する制御部２０を備えている。
【００５４】
本実施の形態では、一例として、図４（ａ）及び図４（ｂ）に示すように、３つの高誘電率部（第１の高誘電率部１１１〜第３の高誘電率部１１３）と、２つの電極（第１の電極１４ａ及び第２の電極１４ｂ）と、を備えている。
【００５５】
第１の高誘電率部１１１〜第３の高誘電率部１１３、第１の電極１４ａ及び第２の電極１４ｂは、図４（ｂ）に示すように、一列に並んでいる。
【００５６】
第１の電極１４ａは、図４（ｂ）の上面視において、第１の高誘電率部１１１と第２の高誘電率部１１２が投影領域１６において重なっている。また第２の電極１４ｂは、第２の高誘電率部１１２と第３の高誘電率部１１３が投影領域１６において重なっている。
【００５７】
従って判定テーブル２２は、図４（ｃ）に示すように、第１の電極１４ａが「○」、第２の電極１４ｂが「×」の場合、第１の高誘電率部１１１、つまり第１のタッチ領域１０１に対してタッチ操作がなされたとし、第１の電極１４ａが「○」、第２の電極１４ｂが「○」の場合、第２の高誘電率部１１２、つまり第２のタッチ領域１０２に対してタッチ操作がなされたとし、第１の電極１４ａが「×」、第２の電極１４ｂが「○」の場合、第３の高誘電率部１１３、つまり第３のタッチ領域１０３に対してタッチ操作がなされたとするテーブルとして構成されている。
【００５８】
なおタッチセンサ装置１は、電極と高誘電率部を同数追加し、さらに複数のタッチ領域を検出するように構成することができる。
【００５９】
（第２の実施の形態の効果）
本実施の形態に係るタッチセンサ装置１は、タッチ領域が３つであるが、このタッチ領域を検出する電極が２つである。従ってタッチセンサ装置１は、タッチ領域よりも少ない電極で各タッチ領域に対するタッチ操作を判定することができるので、製造コストを削減することができる。
【００６０】
［第３の実施の形態］
第３の実施の形態は、高誘電率部の側面に空間が形成されている点で第１の実施の形態と異なっている。
【００６１】
図４（ｄ）は、第３の実施の形態に係るタッチセンサ装置の一例を示す概略図である。このタッチセンサ装置１は、図４（ｄ）に示すように、高誘電率部を囲む低誘電率部が空間５となっている。タッチセンサ装置１は、この構成を採用しない場合と比べて、低誘電率部１２の材料の量が少なくなると共に、空気の誘電率が低誘電率部１２より低いので低誘電率部１２の材料のコストを下げることが可能となり、製造コストが低減される。
【００６２】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００６３】
１…タッチセンサ装置、５…空間、９…操作指、１０…操作板、１２…低誘電率部、１４ａ〜１４ｄ…第１の電極〜第４の電極、１５…意匠部、１６…投影領域、２０…制御部、２１…タッチ判定しきい値、２２…判定テーブル、１００ａ…表面、１００ｂ…裏面、１０１〜１０９…第１のタッチ領域〜第９のタッチ領域、１１１〜１１９…第１の高誘電率部〜第９の高誘電率部、１５０…操作面
【図１】
2017220368.tif 000003
【図２】
2017220368.tif 000004
【図３】
2017220368.tif 000005
【図４】
2017220368.tif 000006